(57)【要約】【課題】支持アームを枠体に対し容易に取付、位置調整できると共に、枠材の兼用化を図ることもできる開閉窓を提供する。【解決手段】建物開口部に取付けられる枠体１内に支持アーム３を介して障子２を開閉自在に納めてなり、枠体１を構成する枠材１１には支持アーム３を固定するアーム取付板４０が長手方向に沿って設けられ、アーム取付板４０は、長手方向一端側が枠材１１に対してネジまたはビス止め固定され、長手方向他端側が枠材１１に形成された受部１６に保持されてなる。【選択図】図７
2008274686.tif 000002
【特許請求の範囲】
【請求項１】
建物開口部に取付けられる枠体内に支持アームを介して障子を開閉自在に納めてなる開閉窓において、
前記枠体を構成する枠材には前記支持アームを固定するアーム取付板が長手方向に沿って設けられ、該アーム取付板は、長手方向一端側が前記枠材に対してネジまたはビス止め固定され、長手方向他端側が前記枠材に形成された受部に保持されることを特徴とする開閉窓。
【請求項２】
前記受部は前記枠材を断面略Ｌ字状に切り曲げ加工して形成されることを特徴とする請求項１記載の開閉窓。
【請求項３】
前記受部は前記アーム取付板を保持可能な保持部材を前記枠材に取付けて形成されることを特徴とする請求項１記載の開閉窓。
【請求項４】
前記アーム取付板が前記枠材に対してネジまたはビス止め固定される長手方向一端側は、前記障子の戸先側であり、前記アーム取付板が前記枠材に形成された受部に保持される長手方向他端側は、前記障子の吊元側であることを特徴とする請求項１〜３のいずれか１項に記載の開閉窓。
【請求項５】
前記アーム取付板は、長手方向一端側が前記枠材に形成される長孔に対してネジまたはビス止め固定されることを特徴とする請求項１〜４のいずれか１項に記載の開閉窓。
【発明の詳細な説明】
【技術分野】
【０００１】
本発明は、枠体内に支持アームを介して障子を開閉自在に納めた縦辷り出し窓や横辷り出し窓等の開閉窓に関し、特に支持アームを枠体に対してアーム取付板を介して固定する開閉窓に関する。
【背景技術】
【０００２】
従来、建物開口部に対して取付けられた枠体内に、支持アームを介して障子を開閉自在に納めてなる開閉窓が知られており、このような開閉窓としては例えば縦辷り出し窓や横辷り出し窓などが挙げられる。開閉窓の支持アームは、枠体に対して固定される基部と、基部に対して揺動自在に取付けられるアーム部とからなり、アーム部が障子に固定されてこれを開閉自在に保持するようにしている。このような開閉窓としては、例えば特許文献１に挙げるようなものがある。
【特許文献１】特開平７−１９７７３２号公報
【発明の開示】
【発明が解決しようとする課題】
【０００３】
支持アームは、枠体に対して直接ネジまたはビス止め固定されるか、あるいは枠体に設けられるアーム取付板に対してネジまたはビス止め固定されていた。支持アームを枠体に対して直接ネジまたはビス止めする場合は、支持アームの取付位置の調整を行うことは困難である。アーム取付板を介して支持アームを枠体に固定すると、アーム取付板の位置調整により支持アームの取付位置の調整を行うことはできるが、枠体にアーム取付板を固定するための保持溝等を形成する必要があって、枠材の製造コストを増大させることとなっていた。また、枠材が開閉窓専用となって、他の種類の窓と兼用できなくなり、このこともコストの増大を招いていた。
【０００４】
本発明は、前記課題を解決すべくなされたものであり、支持アームを枠体に対し容易に取付、位置調整できると共に、枠材の兼用化を図ることもできる開閉窓を提供することを目的とする。
【課題を解決するための手段】
【０００５】
上記課題を解決するため、本発明に係る開閉窓は、建物開口部に取付けられる枠体内に支持アームを介して障子を開閉自在に納めてなる開閉窓において、
前記枠体を構成する枠材には前記支持アームを固定するアーム取付板が長手方向に沿って設けられ、該アーム取付板は、長手方向一端側が前記枠材に対してネジまたはビス止め固定され、長手方向他端側が前記枠材に形成された受部に保持されることを特徴として構成されている。
【０００６】
また、本発明に係る開閉窓は、前記受部は前記枠材を断面略Ｌ字状に切り曲げ加工して形成されることを特徴として構成されている。
【０００７】
さらに、本発明に係る開閉窓は、前記受部は前記アーム取付板を保持可能な保持部材を前記枠材に取付けて形成されることを特徴として構成されている。
【０００８】
さらにまた、本発明に係る開閉窓は、前記アーム取付板が前記枠材に対してネジまたはビス止め固定される長手方向一端側は、前記障子の戸先側であり、前記アーム取付板が前記枠材に形成された受部に保持される長手方向他端側は、前記障子の吊元側であることを特徴として構成されている。
【０００９】
そして、本発明に係る開閉窓は、前記アーム取付板は、長手方向一端側が前記枠材に形成される長孔に対してネジまたはビス止め固定されることを特徴として構成されている。
【発明の効果】
【００１０】
本発明に係る開閉窓によれば、枠材には支持アームを固定するアーム取付板が長手方向に沿って設けられ、アーム取付板は、長手方向一端側が枠材に対してネジまたはビス止め固定され、長手方向他端側が枠材に形成された受部に保持されることにより、アーム取付板により支持アームを枠材に対して容易に取付、位置調整でき、またアーム取付板を取付けるための構成を枠材自体に設けておかなくてもよいので、枠材の材料費を低減することができると共に、枠材を他の種類の窓にも用いることができるので、部品の共用化によるコストダウンを図ることができる。
【００１１】
また、本発明に係る開閉窓によれば、受部は枠材を断面略Ｌ字状に切り曲げ加工して形成されることにより、簡易な手段で受部を枠材に形成することができる。
【００１２】
さらに、本発明に係る開閉窓によれば、受部はアーム取付板を保持可能な保持部材を枠材に取付けて形成されることにより、保持部材を取付けるだけで受部を枠材に容易に形成することができる。
【００１３】
さらにまた、本発明に係る開閉窓によれば、アーム取付板が枠材に対してネジまたはビス止め固定される長手方向一端側は、障子の戸先側であり、アーム取付板が枠材に形成された受部に保持される長手方向他端側は、障子の吊元側であることにより、ネジまたはビス止め作業を障子の戸先側で行うことができるので、アーム取付板の固定及び位置調整を容易にすることができる。
【００１４】
そして、本発明に係る開閉窓によれば、アーム取付板は、長手方向一端側が枠材に形成される長孔に対してネジまたはビス止め固定されることにより、アーム取付板を枠材の長手方向に容易に位置調整することができる。
【発明を実施するための最良の形態】
【００１５】
本発明の実施形態について、図面に沿って詳細に説明する。図１には本実施形態における開閉窓の縦断面図を、図２には開閉窓の横断面図を、それぞれ示している。これら各図に示すように、本実施形態における開閉窓は、建物開口部に取付けられる枠体１内に支持アーム３を介して障子２を開閉自在に納めてなるものである。障子２は、図２における右側位置に操作ハンドル６を備えている。また、障子２の全体が支持アーム３に支持されており、操作ハンドル６を備えた側が戸先側、それと反対側が吊元側となっている。すなわち、本実施形態の開閉窓は、操作ハンドル６を室外側に向かって押すと、戸先側が室外側に向かって開くようにされた縦辷り出し窓として構成されている。
【００１６】
枠体１は、上枠１０と下枠１１及び左右の縦枠１２、１２を方形状に枠組みしてなるものである。これら枠材は、金属材に対しその室内側露出部分を覆う樹脂材が配設されてなる複合材によって構成されている。上枠１０は、金属材として設けられる金属上枠１０ａと、樹脂材として設けられる樹脂上枠１０ｂとから構成されている。また同様に下枠１１は金属下枠１１ａと樹脂下枠１１ｂとから、縦枠１２は金属縦枠１２ａと樹脂縦枠１２ｂとから、それぞれ構成されている。
【００１７】
障子２は、上框２０と下框２１及び左右の縦框２２、２２を方形状に框組みしてなる框体４内にガラス体５を納めてなるものである。框体４を構成する框材は、枠材と同様に金属材に対しその室内側露出部分を覆う樹脂材が配設されてなる複合材によって構成されている。上框２０は金属上框２０ａと樹脂上框２０ｂとから、下框２１は金属下框２１ａと樹脂下框２１ｂとから、縦框２２は金属縦框２２ａと樹脂縦框２２ｂとから、それぞれ構成されている。
【００１８】
一方の縦框２２の室内面に設けられる操作ハンドル６は、縦框２２の外周面に設けられる可動突起部２５と連係している。可動突起部２５は、操作ハンドル６を回動操作するのに伴って、縦枠１２の内周面に設けられるロック部１５に対して係脱自在とされており、障子２が閉じた状態において、障子２を枠体１に対して開かないようにロックしておくことができる。操作ハンドル６を回動操作し、可動突起部２５のロック部１５に対する係合状態を解除した上で、操作ハンドル６を室外側に押圧操作することにより、障子２を開くことができる。
【００１９】
次に、上枠１０及び下枠１１に設けられる支持アーム３について説明する。図３には、支持アーム３の平面図を示している。この図は、障子２が開いた状態における支持アーム３について表している。支持アーム３は、上枠１０の内周面及び下枠１１の内周面の長手方向に沿ってそれぞれ設けられる。図３に示すように、支持アーム３は、細長状に形成された基部３０と、基部３０に対して回動自在に取付けられる細板状のアーム部３１とからなっている。アーム部３１は、さらに障子２を支持する第１アーム部３１ａと、第１アーム部３１ａと基部３０とを連結する第２アーム部３１ｂとからなっている。以下、下枠１１に取付けられる支持アーム３について説明する。なお、上枠１０に取付けられる支持アーム３も、同様の構成からなると共に、同様の取付構造を有する。
【００２０】
基部３０は、長手方向に沿って６箇所の固定孔３２を有しており、この固定孔３２を用いて下枠１１の内周面に対し基部３０をネジ止め固定する。また、固定孔３２のうち２つは、アーム取付部３２ａとしても機能し、それぞれ第１アーム部３１ａと第２アーム部３１ｂを基部３０に対して回動自在に取付けることができる。
【００２１】
次に、支持アーム３の下枠１１に対する取付構造について説明する。図４には、下枠１１の断面図を示している。この図に示すように、支持アーム３は下枠１１のうち、金属下枠１１ａの上面に載置されており、該上面の裏側に設けられるアーム取付板４０に対してアーム固定ネジ３３で固定される。アーム取付板４０は、下枠１１の長手方向に沿うように、横長の長方形状に形成された薄板からなり、金属下枠１１ａに形成される受部１６に保持される。
【００２２】
図５には、下枠１１を受部１６の位置で切断した斜視図を示している。受部１６は、金属下枠１１ａの上面を切り曲げ加工することによって形成された２つの下方突出部１６ａによって構成される。これら２つの下方突出部１６ａは、それぞれが断面略Ｌ字状とされると共に、互いが対向するように形成される。下方突出部１６ａの先端部分は、略同じ高さで対向しており、この先端部分にアーム取付板４０を載置することで、これを保持する。
【００２３】
また、アーム取付板４０は、ネジ止めによっても金属下枠１１ａに固定される。図６には、支持アーム３が取付けられた下枠１１の平面図を示している。なお、左右には縦枠１２の断面図も示している。この図に示すように、金属下枠１１ａの上面の裏側には、長手方向に沿ってアーム取付板４０が設けられている。アーム取付板４０のうち、障子２が閉じた状態における戸先側の一端部は、取付板固定ネジ４１によって金属下枠１１ａに対し固定されている。
【００２４】
一方で、前述の受部１６は、金属下枠１１ａの長手方向に２箇所形成されており、アーム取付板４０を、長手方向中央部と、障子２が閉じた状態における吊元側の他端部において、それぞれ保持している。
【００２５】
図７には、金属下枠１１ａの平面図を示している。この図に示すように、金属下枠１１ａの上面には、支持アーム３の基部３０をアーム取付板４０に対して固定するためのアーム固定ネジ３３を貫通させるための長孔１７が、長手方向に沿って６箇所形成されている。また、これら長孔１７よりも、障子２が閉じた状態における戸先側に、アーム取付板４０をネジ止め固定するための長孔１８が形成されている。
【００２６】
このように、アーム取付板４０は一端部が取付板固定ネジ４１によって金属下枠１１ａの長孔１８に対して固定されると共に、他端部が金属下枠１１ａに形成された受部１６に保持されるので、アーム取付板４０を下枠１１の長手方向に若干移動させることができる。また、支持アーム３は金属下枠１１ａの長孔１７を介してアーム取付板４０に対してネジ止め固定されるので、アーム取付板４０の長手方向移動に伴って長手方向の位置調整を行うことができる。
【００２７】
また、受部１６は金属下枠１１ａの切り曲げ加工によって形成されているので、金属下枠１１ａに予め保持溝等を形成することなく、アーム取付板４０を保持することができる。このため、金属下枠１１ａの材料費を低減することができると共に、受部１６を形成しなければ他の種類の窓にもそのまま同じ枠材を用いることができるので、部品の共用化によるコストダウンも図ることができる。
【００２８】
受部１６の構成として、これまで金属下枠１１ａを切り曲げ加工したものについて説明したが、それ以外の手段により受部１６を形成してもよい。図８には、他の例の受部１６を有した下枠１１の断面図を示している。この例では、受部１６として機能する保持部材１９を、金属下枠１１ａとは別部材として用意している。保持部材１９は、その内側にアーム取付板４０を保持することができるように、アーム取付板４０の厚みよりも若干高く形成された左右の側壁１９ａと、アーム取付板４０の幅よりも若干幅広に形成された底壁１９ｂとで、断面略コ字状に形成される小片状の部品であり、金属下枠１１ａに対してネジ止め固定されることで、受部１６を構成する。
【００２９】
図９には、下枠１１の平面図を示している。アーム取付板４０は、図７の場合と同じものであって、金属下枠１１ａにおいて同じ位置に設けられ、一端側は取付板固定ネジ４１によって金属下枠１１ａに対して固定されている。保持部材１９は、アーム取付板４０の他端部側と中央付近にそれぞれ設けられる。図８に示したのは、アーム取付板４０の他端部側に設けられる保持部材１９である。
【００３０】
アーム取付板４０の他端部側に設けられる保持部材１９は、アーム取付板４０の端部よりもさらに金属下枠１１ａの端部側の部分において、金属下枠１１ａに対してネジ止め固定される固定部１９ｃを有している。一方で、アーム取付板４０の中央付近に設けられる保持部材１９は、他端部側の保持部材１９よりも幅広に形成されており、アーム取付板４０と干渉しないように、それより側壁１９ａ側に金属下枠１１ａに対してネジ止め固定される固定部１９ｄを有している。このように、各保持部材１９は、保持するアーム取付板４０と干渉しないように金属下枠１１ａに対して取付けられる。
【００３１】
このように、金属下枠１１ａとは別部材として設けられる保持部材１９を受部１６とすることもでき、この場合にも金属下枠１１ａに直接受部１６が形成されたものと同様、金属下枠１１ａに予め保持溝等を形成することなく、アーム取付板４０を保持することができるので、材料費の低減及び部品の共用化によるコストダウンを図ることができる。
【００３２】
以上、本発明の実施形態について説明したが、本発明の適用はこれら実施形態には限られず、その技術的思想の範囲内において様々に適用されうるものである。例えば、本実施形態では、開閉窓として縦辷り出し窓に本発明を適用したものを示したが、横辷り出し窓など他の種類の開閉窓であって、支持アーム３により障子２を支持するものであれば、同様に本発明を適用することができる。
【００３３】
また、本実施形態では、枠体１や障子２について、金属材の室内側に樹脂材を配設したものについて示したが、金属材のみからなる窓や、室外側の金属材と室内側の金属材の間に断熱材をブリッジ状に設けた窓についても、同様に本発明を適用することができる。さらに、本実施形態においてネジ止めされている部分は、ビス止めによっても固定することができる。
【図面の簡単な説明】
【００３４】
【図１】本実施形態における開閉窓の縦断面図である。
【図２】本実施形態における開閉窓の横断面図である。
【図３】支持アームの平面図である。
【図４】下枠の断面図である。
【図５】下枠を受部の位置で切断した斜視図である。
【図６】支持アームが取付けられた下枠の平面図である。
【図７】金属下枠の平面図である。
【図８】他の例の受部を有した下枠の断面図である。
【図９】下枠の平面図である。
【符号の説明】
【００３５】
１    枠体
２    障子
３    支持アーム
１０    上枠
１１    下枠
１２    縦枠
１６    受部
１７    長孔
１８    長孔
１９    保持部材
３０    基部
３１    アーム部
３２    固定孔
３３    アーム固定ネジ
４０    アーム取付板
４１    取付板固定ネジ
【図１】
2008274686.tif 000003
【図２】
2008274686.tif 000004
【図３】
2008274686.tif 000005
【図４】
2008274686.tif 000006
【図５】
2008274686.tif 000007
【図６】
2008274686.tif 000008
【図７】
2008274686.tif 000009
【図８】
2008274686.tif 000010
【図９】
2008274686.tif 000011